(57)【要約】【課題】各国の無線仕様に合わせ自動で無線ＬＡＮ通信モードを変更可能とする。【解決手段】コンピュータ装置１０は、現在位置データ出力装置１３と、該現在位置データ出力装置１３から現在位置データを受け、現在の位置が含まれている特定の国を表わす特定の国データを出力する地域データ出力装置１４とを有する。無線ＬＡＮ接続装置１２は、予め、複数の国データに対応した複数の無線ＬＡＮ通信モードを有し、特定の国データを受けると、特定の国データに対応した複数の無線ＬＡＮ通信モードの一つを設定通信モードとして自動設定し、該設定通信モードにて無線ＬＡＮ１１を用いて送受信を行う。複数の無線ＬＡＮ通信モードの各々は、対応した国データにて表わされる国にて使用されている無線周波数チャネル及び送信電力レベルによって決定され、無線ＬＡＮ接続装置１２は、設定通信モードを決定する無線周波数チャネル及び送信電力レベルにて送受信を行う。【選択図】        図１
2004179826.tif 000002
【特許請求の範囲】
【請求項１】
無線ＬＡＮ（Ｌｏｃａｌ  Ａｒｅａ  Ｎｅｔｗｏｒｋ）に接続するための無線ＬＡＮ接続装置を有するコンピュータ装置において、
ＧＰＳ（Ｇｌｏｂａｌ  Ｐｏｓｉｔｉｏｎｉｎｇ  Ｓｙｓｔｅｍ）信号を受信し、該コンピュータ装置の現在の位置を表わす現在位置データを出力するＧＰＳ受信装置と、
前記現在位置データを受け、前記現在の位置が含まれている特定の地域を表わす特定の地域データを出力する地域データ出力装置とを有し、
前記無線ＬＡＮ接続装置は、予め、複数の地域データに対応した複数の無線ＬＡＮ通信モードを有し、前記特定の地域データを受けると、前記特定の地域データに対応した前記複数の無線ＬＡＮ通信モードの一つを設定通信モードとして自動設定し、該設定通信モードにて前記無線ＬＡＮを用いて送受信を行うものであることを特徴とするコンピュータ装置。
【請求項２】
請求項１に記載のコンピュータ装置において、
前記複数の地域データに対応した前記複数の無線ＬＡＮ通信モードの各々は、対応した地域データにて表わされる地域にて使用されている無線周波数チャネル及び送信電力レベルによって決定されるものであり、
前記無線ＬＡＮ接続装置は、前記設定通信モードを決定する無線周波数チャネル及び送信電力レベルにて前記無線ＬＡＮを用いて送受信を行うものであることを特徴とするコンピュータ装置。
【請求項３】
請求項１に記載のコンピュータ装置において、
前記地域データ出力装置は、前記現在位置データを受け、前記現在の位置が含まれている特定の国を表わす特定の国データを出力するものであり、
前記無線ＬＡＮ接続装置は、予め、複数の国データに対応した複数の無線ＬＡＮ通信モードを有し、前記特定の国データを受けると、前記特定の国データに対応した前記複数の無線ＬＡＮ通信モードの一つを設定通信モードとして自動設定し、該設定通信モードにて前記無線ＬＡＮを用いて送受信を行うものであることを特徴とするコンピュータ装置。
【請求項４】
無線ＬＡＮ（Ｌｏｃａｌ  Ａｒｅａ  Ｎｅｔｗｏｒｋ）に接続するための無線ＬＡＮ接続装置を有するコンピュータ装置において、
前記コンピュータ装置の現在の位置を表わす現在位置データを出力する現在位置データ出力装置と、
前記現在位置データを受け、前記現在の位置が含まれている特定の地域を表わす特定の地域データを出力する地域データ出力装置とを有し、
前記無線ＬＡＮ接続装置は、予め、複数の地域データに対応した複数の無線ＬＡＮ通信モードを有し、前記特定の地域データを受けると、前記特定の地域データに対応した前記複数の無線ＬＡＮ通信モードの一つを設定通信モードとして自動設定し、該設定通信モードにて前記無線ＬＡＮを用いて送受信を行うものであることを特徴とするコンピュータ装置。
【請求項５】
請求項４に記載のコンピュータ装置において、
前記複数の地域データに対応した前記複数の無線ＬＡＮ通信モードの各々は、対応した地域データにて表わされる地域にて使用されている無線周波数チャネル及び送信電力レベルによって決定されるものであり、
前記無線ＬＡＮ接続装置は、前記設定通信モードを決定する無線周波数チャネル及び送信電力レベルにて前記無線ＬＡＮを用いて送受信を行うものであることを特徴とするコンピュータ装置。
【請求項６】
請求項４に記載のコンピュータ装置において、
前記地域データ出力装置は、前記現在位置データを受け、前記現在の位置が含まれている特定の国を表わす特定の国データを出力するものであり、
前記無線ＬＡＮ接続装置は、予め、複数の国データに対応した複数の無線ＬＡＮ通信モードを有し、前記特定の国データを受けると、前記特定の国データに対応した前記複数の無線ＬＡＮ通信モードの一つを設定通信モードとして自動設定し、該設定通信モードにて前記無線ＬＡＮを用いて送受信を行うものであることを特徴とするコンピュータ装置。
【請求項７】
請求項４に記載のコンピュータ装置において、
前記現在位置データ出力装置は、前記コンピュータ装置の現在の位置を表わす現在位置データを出力するジャイロスコープであることを特徴とするコンピュータ装置。
【請求項８】
無線ＬＡＮ（Ｌｏｃａｌ  Ａｒｅａ  Ｎｅｔｗｏｒｋ）に接続するための無線ＬＡＮ接続装置を有するクライアント装置において、
前記コンピュータ装置の現在の位置を表わす現在位置データを出力する現在位置データ出力装置と、
前記現在位置データを受け、前記現在の位置が含まれている特定の地域を表わす特定の地域データを出力する地域データ出力装置とを有し、
前記無線ＬＡＮ接続装置は、予め、複数の地域データに対応した複数の無線ＬＡＮ通信モードを有し、前記特定の地域データを受けると、前記特定の地域データに対応した前記複数の無線ＬＡＮ通信モードの一つを設定通信モードとして自動設定し、該設定通信モードにて前記無線ＬＡＮを用いて送受信を行うものであることを特徴とするクライアント装置。
【請求項９】
請求項８に記載のクライアント装置において、
前記複数の地域データに対応した前記複数の無線ＬＡＮ通信モードの各々は、対応した地域データにて表わされる地域にて使用されている無線周波数チャネル及び送信電力レベルによって決定されるものであり、
前記無線ＬＡＮ接続装置は、前記設定通信モードを決定する無線周波数チャネル及び送信電力レベルにて前記無線ＬＡＮを用いて送受信を行うものであることを特徴とするクライアント装置。
【請求項１０】
請求項８に記載のクライアント装置において、
前記地域データ出力装置は、前記現在位置データを受け、前記現在の位置が含まれている特定の国を表わす特定の国データを出力するものであり、
前記無線ＬＡＮ接続装置は、予め、複数の国データに対応した複数の無線ＬＡＮ通信モードを有し、前記特定の国データを受けると、前記特定の国データに対応した前記複数の無線ＬＡＮ通信モードの一つを設定通信モードとして自動設定し、該設定通信モードにて前記無線ＬＡＮを用いて送受信を行うものであることを特徴とするクライアント装置。
【請求項１１】
請求項８に記載のクライアント装置において、
前記現在位置データ出力装置は、ＧＰＳ（Ｇｌｏｂａｌ  Ｐｏｓｉｔｉｏｎｉｎｇ  Ｓｙｓｔｅｍ）信号を受信し、前記クライアント装置の現在の位置を表わす現在位置データを出力するＧＰＳ受信装置であることを特徴とするクライアント装置。
【請求項１２】
請求項８に記載のクライアント装置において、
前記現在位置データ出力装置は、前記コンピュータ装置の現在の位置を表わす現在位置データを出力するジャイロスコープであることを特徴とするクライアント装置。
【発明の詳細な説明】
【０００１】
【発明の属する技術分野】
本発明は、無線ＬＡＮ接続装置を有する装置に関する。
【０００２】
【従来の技術】
無線（Ｗｉｒｅｌｅｓｓ）ＬＡＮ（Ｌｏｃａｌ  Ａｒｅａ  Ｎｅｔｗｏｒｋ）は、コンピュータ装置（例えば、パーソナルコンピュータ）等を接続対象のネットワークに無線で接続するのに用いられる。無線ＬＡＮは、無線ＬＡＮ接続装置（例えば、無線ＬＡＮカード等の無線ＬＡＮアダプタ）をコンピュータ装置に設置し、アクセスポイントを接続対象のネットワークに設置することにより、コンピュータ装置と接続対象のネットワークとの間に構築される。
【０００３】
無線ＬＡＮ接続装置を有するコンピュータ装置は、現状では、各国それぞれの無線仕様及び法規に合わせて自動で無線ＬＡＮ通信モード（無線周波数チャネル及び送信電力レベル）の設定を選択することが出来ない。従って、コンピュータ装置に装備している無線ＬＡＮ接続装置が現在居る国の無線仕様及び法規に適合していない場合、コンピュータ装置に装備している無線ＬＡＮ接続装置を、その国の無線仕様及び法規に適合している無線ＬＡＮ接続装置に差し替えて使用していた。
【０００４】
特許文献１の要約及び［００１１］段落には、「例えばＩＥＥＥ８０２．１１及びブルートゥースプロトコルのような２つの異なった無線ネットワークプロトコル間の周波数調整のために供される技術であって、調整は、第１通信プロトコル（８０２．１１プロトコル）に従って作動し、周波数帯（例えば、２．４ＧＨｚ）を使用する第１無線トランシーバー、有線ネットワークに接続され第１通信プロトコルに従って作動するベースステーション、第２通信プロトコル（ブルートゥースプロトコル）に従って作動し上述の周波数帯を使用する第２無線トランシーバー、及び、順に第１無線トランシーバーを付勢し、第１無線トランシーバーを消勢し、第２無線トランシーバーを付勢し、第２無線トランシーバーを消勢するためにベースステーションと組み合わされた調整器を使用することによって達成される。」ことが記載されている。
【０００５】
特許文献２の［０００３］段落には、各国の国内法は、特殊な用途に使用される特殊タイプのアンテナから放射される実効等方向放射電力（ＥＩＲＰ）量の上限を設定していることが記載され、前記特許文献２の要約及び［０００８］〜［００１０］段落には、電波のフェージング等が生じても、各国の国内法で定められるＥＩＲＰの上限を超えることがないように送信出力を制御できるセルラ無線基地局装置が開示されている。
【０００６】
【特許文献１】
特開２００２−１８５４７６号公報。
【０００７】
【特許文献２】
特開平７−３３６２９４号公報。
【０００８】
【発明が解決しようとする課題】
上述したように、無線ＬＡＮ接続装置を有するコンピュータ装置を国外で使用する場合、規格や電波法規の国による違いにより、無線ＬＡＮに接続できない場合があった。このように、無線ＬＡＮ接続装置自体を行き先の国で使用できない場合には、行き先で新たに行き先の国に適した仕様を持つ、別の無線ＬＡＮ接続装置を購入若しくは借用する必要があった。
【０００９】
本発明の目的は、無線ＬＡＮ接続装置を有するコンピュータ装置（或いはクライアント装置）において、該コンピュータ装置（或いはクライアント装置）の現在の位置を表わす現在位置データを得る装置を備え、その現在位置データから現在居る地域（国や州）を特定し、各地域それぞれの無線仕様や法規に合わせ、自動で無線ＬＡＮ通信モード（無線周波数チャネル及び送信電力レベル）の設定を変更するようにしたコンピュータ装置（或いはクライアント装置）を提供することにある。
【００１０】
【課題を解決するための手段】
本発明によれば、無線ＬＡＮ（Ｌｏｃａｌ  Ａｒｅａ  Ｎｅｔｗｏｒｋ）に接続するための無線ＬＡＮ接続装置を有するコンピュータ装置において、
ＧＰＳ（Ｇｌｏｂａｌ  Ｐｏｓｉｔｉｏｎｉｎｇ  Ｓｙｓｔｅｍ）信号を受信し、該コンピュータ装置の現在の位置を表わす現在位置データを出力するＧＰＳ受信装置と、
前記現在位置データを受け、前記現在の位置が含まれている特定の地域を表わす特定の地域データを出力する地域データ出力装置とを有し、
前記無線ＬＡＮ接続装置は、予め、複数の地域データに対応した複数の無線ＬＡＮ通信モードを有し、前記特定の地域データを受けると、前記特定の地域データに対応した前記複数の無線ＬＡＮ通信モードの一つを設定通信モードとして自動設定し、該設定通信モードにて前記無線ＬＡＮを用いて送受信を行うものであることを特徴とするコンピュータ装置が得られる。
【００１１】
更に、本発明によれば、無線ＬＡＮ（Ｌｏｃａｌ  Ａｒｅａ  Ｎｅｔｗｏｒｋ）に接続するための無線ＬＡＮ接続装置を有するコンピュータ装置において、
前記コンピュータ装置の現在の位置を表わす現在位置データを出力する現在位置データ出力装置と、
前記現在位置データを受け、前記現在の位置が含まれている特定の地域を表わす特定の地域データを出力する地域データ出力装置とを有し、
前記無線ＬＡＮ接続装置は、予め、複数の地域データに対応した複数の無線ＬＡＮ通信モードを有し、前記特定の地域データを受けると、前記特定の地域データに対応した前記複数の無線ＬＡＮ通信モードの一つを設定通信モードとして自動設定し、該設定通信モードにて前記無線ＬＡＮを用いて送受信を行うものであることを特徴とするコンピュータ装置が得られる。
【００１２】
また、本発明によれば、無線ＬＡＮ（Ｌｏｃａｌ  Ａｒｅａ  Ｎｅｔｗｏｒｋ）に接続するための無線ＬＡＮ接続装置を有するクライアント装置において、
前記コンピュータ装置の現在の位置を表わす現在位置データを出力する現在位置データ出力装置と、
前記現在位置データを受け、前記現在の位置が含まれている特定の地域を表わす特定の地域データを出力する地域データ出力装置とを有し、
前記無線ＬＡＮ接続装置は、予め、複数の地域データに対応した複数の無線ＬＡＮ通信モードを有し、前記特定の地域データを受けると、前記特定の地域データに対応した前記複数の無線ＬＡＮ通信モードの一つを設定通信モードとして自動設定し、該設定通信モードにて前記無線ＬＡＮを用いて送受信を行うものであることを特徴とするクライアント装置が得られる。
【００１３】
前述の特許文献１及び特許文献２は、いずれも、コンピュータ装置或いはクライアント装置の現在の位置を表わす現在位置データを得るための装置と、現在位置データを受け、現在の位置が含まれている特定の地域を表わす特定の地域データを出力する地域データ出力装置とを開示していない。
【００１４】
しかも、前述の特許文献１及び特許文献２は、いずれも、無線ＬＡＮ接続装置が、特定の地域データを受けると、特定の地域データに対応した複数の無線ＬＡＮ通信モードの一つを設定通信モードとして自動設定することも、開示してはいない。
【００１５】
【発明の実施の形態】
次に本発明の実施例について図面を参照して説明する。
【００１６】
図１を参照すると、本発明の第１の実施例によるコンピュータ装置１０は、例えば、パーソナルコンピュータであって、無線ＬＡＮ（Ｌｏｃａｌ  Ａｒｅａ  Ｎｅｔｗｏｒｋ）１１に接続するための無線ＬＡＮ接続装置１２を有する。無線ＬＡＮ接続装置１２は、例えば、無線ＬＡＮカード等の無線ＬＡＮアダプタである。
【００１７】
コンピュータ装置１０は、このコンピュータ装置１０の現在の位置を表わす現在位置データを出力する現在位置データ出力装置１３と、現在位置データを受け、現在の位置が含まれている特定の地域（国、或いは、州）を表わす特定の地域データを出力する地域データ出力装置１４とを有している。
【００１８】
無線ＬＡＮ接続装置１２は、予め、複数の地域データに対応した複数の無線ＬＡＮ通信モードを有し、特定の地域データを受けると、特定の地域データに対応した複数の無線ＬＡＮ通信モードの一つを設定通信モードとして自動設定し、該設定通信モードにて無線ＬＡＮ１１を用いて送受信を行う。
【００１９】
具体的には、複数の地域データに対応した複数の無線ＬＡＮ通信モードの各々は、対応した地域データにて表わされる地域にて使用されている無線周波数チャネル及び送信電力レベルによって決定されるものである。無線ＬＡＮ接続装置１２は、設定通信モードを決定する無線周波数チャネル及び送信電力レベルにて無線ＬＡＮ１１を用いて送受信を行う。
【００２０】
典型的には、地域データ出力装置１４は、現在位置データを受け、現在の位置が含まれている特定の国を表わす特定の国データを出力するものである。この場合、無線ＬＡＮ接続装置１２は、予め、複数の国データに対応した複数の無線ＬＡＮ通信モードを有し、特定の国データを受けると、特定の国データに対応した複数の無線ＬＡＮ通信モードの一つを設定通信モードとして自動設定し、該設定通信モードにて無線ＬＡＮ１１を用いて送受信を行う。
【００２１】
現在位置データ出力装置１３は、例えば、ＧＰＳ（Ｇｌｏｂａｌ  Ｐｏｓｉｔｉｏｎｉｎｇ  Ｓｙｓｔｅｍ）信号を受信し、コンピュータ装置１０の現在の位置を表わす現在位置データを出力するＧＰＳ受信装置である。代りに、現在位置データ出力装置１３は、コンピュータ装置１０の現在の位置を表わす現在位置データを出力するジャイロスコープであっても良い。
【００２２】
図２を参照すると、本発明の第２の実施例によるクライアント装置１０’は、例えば、パーソナルコンピュータや、ＰＤＡ（Ｐｅｒｓｏｎａｌ  Ｄｉｇｉｔａｌ  Ａｓｓｉｓｔａｎｔ）であって、同様の参照符号で示された同様の部分を含む。このクライアント装置１０’は、現在位置データ出力装置としてＧＰＳ受信装置１３’を有している。ＧＰＳ受信装置１３’は、人工衛星からのＧＰＳ（Ｇｌｏｂａｌ  Ｐｏｓｉｔｉｏｎｉｎｇ  Ｓｙｓｔｅｍ）信号を受信し、本クライアント装置１０’の現在の位置を表わす現在位置データを出力する。
【００２３】
ここで、地域データ出力装置１４は、現在位置データを受け、現在の位置が含まれている特定の国を表わす特定の国データを出力するものと仮定する。更に、無線ＬＡＮ接続装置１２は、予め、複数の国データに対応した複数の無線ＬＡＮ通信モード（これらの各々は無線周波数チャネル及び送信電力レベルによって決定される）を有し、特定の国データを受けると、特定の国データに対応した複数の無線ＬＡＮ通信モードの一つを設定通信モードとして自動設定し、該設定通信モードを決定する無線周波数チャネル及び送信電力レベルにて無線ＬＡＮ１１を用いて送受信を行うものと仮定する。
【００２４】
地域データ出力装置１４は、位置データテーブル１５と、地域データ取得回路１６とを有する。
【００２５】
図３を参照すると、位置データテーブル１５は、位置データと国データとを関連づけてメモリに記憶させたテーブルである。位置データは、例えば、各国の国際空港の位置の緯度及び経度を表わしている。Ｎは北緯、Ｅは東経、Ｓは南緯、Ｗは北緯を表わす。国データは、その国際空港が存在する国を表わしている。
【００２６】
地域データ取得回路１６は、ＧＰＳ受信装置１３’から受けた現在位置データと位置データテーブル１５とから現在位置データにて表わされている現在の位置が含まれている特定の国データを算出するソフトウェアで構成されている。
【００２７】
無線ＬＡＮ接続装置１２は、上述したように、各国の無線周波数チャネル及び送信電力レベルに予め対応し、無線周波数チャネル及び送信電力レベルを変更可能なものである。
【００２８】
次に図２のクライアント装置１０’の動作について詳細に説明する。
【００２９】
１．  国データの算出
地域データ取得回路１６において、ＧＰＳ受信装置１３’が人工衛星から受信したＧＰＳ信号を、位置データテーブル１５を参照して、現在位置する国データを、以下の様にして算出する。
【００３０】
１．１  ＧＰＳ受信装置１３’において、人工衛星から現在位置データの取得
クライアント装置１０’にＧＰＳ受信装置１３’を収容し、ＧＰＳ受信装置１３’は、人工衛星からＧＰＳ信号を受信し、クライアント装置１０’の現在の位置を表わす現在位置データを出力する。現在位置データは地域データ取得回路１６へ通知する。
【００３１】
１．２  位置データテーブル１５
位置データテーブル１５は、図３に示したような位置データと国データとの対応を記憶している。
【００３２】
ＧＰＳ受信装置１３’で得た現在位置データを、位置データテーブル１５の範囲より検索し、国データを抽出する。
【００３３】
１．２．１  不正な位置データを受信した場合
ＧＰＳ受信装置１３’で得られた現在位置データが、位置データテーブルのどの項目にも適合していない場合、ユーザに対しエラーを通知し、改善を求める。
【００３４】
２．  国データによる無線ＬＡＮ接続装置１２の自動設定変更
無線周波数チャネルは、各国で、図４に示す通りに規定されている。
【００３５】
図４の情報は、無線ＬＡＮ接続装置１２内の設定テーブルに設定されている。
【００３６】
無線ＬＡＮ接続装置１２内の設定テーブルの中から、位置データ取得回路１６により算出された国データに適合する設定を抽出する。
【００３７】
２．１  無線周波数チャネルの自動設定
クライアント装置１０’において、図５に示すような、国データ別の無線周波数チャネルの最大値のテーブルを構成する。この図５のテーブルも、無線ＬＡＮ接続装置１２内に別の設定テーブルとして設定される。
【００３８】
無線ＬＡＮ接続装置１２は、位置データ取得回路１６により算出された国データより、別の設定テーブルを参照して最大値を求め、無線ＬＡＮ接続装置１２自身に設定する。
【００３９】
なお、この別の設定テーブルは、無線ＬＡＮ接続装置１２の外部のクライアント装置１０’内に設けられても良い。
【００４０】
２．１．１  現在の設定値が新たに設定した最大値を超えた場合
例として現在、設定値が日本のチャネル１４となっており、設定の最大値が自動設定により米国の１１となった場合、設定値を１１に丸める。
【００４１】
２．２  送信電力レベルの自動設定
クライアント装置１０’において、図６に示すような国データ別の送信電力レベルのテーブルを構成する。この図６のテーブルも、無線ＬＡＮ接続装置１２内に、更に別の設定テーブルとして設定される。
【００４２】
無線ＬＡＮ接続装置１２は、位置データ取得回路１６により算出された国データより、更に別の設定テーブルを参照して送信電力レベルの設定値を求め、送信電力レベルの設定値を無線ＬＡＮ接続装置１２自身に設定する。
【００４３】
なお、この更に別の設定テーブルは、無線ＬＡＮ接続装置１２の外部のクライアント装置１０’内に設けられても良い。
【００４４】
３．  無線ＬＡＮ接続装置１２の動作停止
無線ＬＡＮ接続装置１２は、自動的に設定を変更している期間において、接続を試みることが無いように、動作を停止する。
【００４５】
設定の変更が終了すると、無線ＬＡＮ接続装置１２は自動的に無線ＬＡＮ１１への接続を開始する。
【００４６】
なお、図２において、ＧＰＳ受信装置１３により現在位置データを得て、それにより現在の国データを得ることにより、以下に示される国により異なる情報も自動的に設定変更することが出来る。
【００４７】
・クライアント装置１０のタイムゾーン
・ＦＨ−ＳＳ（Ｆｒｅｑｕｅｎｃｙ  Ｈｏｐｐｉｎｇ−Ｓｐｒｅａｄ  Ｓｐｅｃｔｒｕｍ）スペクトラム変調方式における日本又は欧州のホップ数
また、図２において、位置データテーブル１５は、予め、クライアント装置１０’に設定される。予めの位置データテーブル１５のクライアント装置１０’への設定は、例えば、以下のように行われれば良い。すなわち、インターネットに接続されたサーバ装置に、位置データと国データとを関連づけた位置データテーブルを設け、クライアント装置１０’がインターネットを介してサーバ装置にアクセスし、サーバ装置からクライアント装置１０’へ位置データテーブルのデータのダウンロードを行う。この後も、クライアント装置１０’が定期的にインターネットを介してサーバ装置に問い合わせ、サーバ装置内の位置データテーブルの設定に更新が有れば、サーバ装置からクライアント装置１０’へ位置データテーブルのデータのダウンロードを行うようにしても良い。
【００４８】
このように本発明では、無線ＬＡＮ接続装置を有するコンピュータ装置（或いは、クライアント装置）において、該コンピュータ装置（或いは、クライアント装置）の現在の位置を表わす現在位置データを得るＧＰＳ受信装置（或いは、ジャイロスコープ）を備え、その現在位置データを基に地図情報から現在居る地域（国、或いは、州）を特定し、各地域それぞれの無線仕様や法規に合わせ、自動で無線ＬＡＮ接続装置の無線ＬＡＮ通信モード（無線周波数チャネル及び送信電力レベル）の設定を変更する。
【００４９】
ユーザが無線ＬＡＮ接続装置とＧＰＳ受信装置（或いは、ジャイロスコープ）とを有するコンピュータ装置（或いは、クライアント装置）を国際空港に持ち込み、コンピュータ装置（或いは、クライアント装置）を起動した際、ＧＰＳ受信装置（或いは、ジャイロスコープ）で受信している現在位置データが変更され、変更された現在位置データとコンピュータ装置（或いは、クライアント装置）の位置データテーブルとにより、現在位置する地域データが算出され、現在居る地域データが変更され、無線ＬＡＮ接続装置に通知される。
【００５０】
無線ＬＡＮ接続装置に設定されている無線周波数チャネルと送信電力レベルの設定テーブルを参照して、地域データを元に、現在位置する地域の電波法規及び無線仕様に適合した設定が抽出される。
【００５１】
抽出された設定は、無線ＬＡＮ接続装置に組み込まれ、ユーザが再び無線ＬＡＮ接続を行うために訪れた無線ＬＡＮアクセスポイントにおいて、即座に使用可能となる。
【００５２】
【発明の効果】
以上説明したように、本発明によれば、無線ＬＡＮ接続装置を有するコンピュータ装置（或いはクライアント装置）において、該コンピュータ装置（或いはクライアント装置）の現在の位置を表わす現在位置データを得る装置を備え、その現在位置データから現在居る地域（国や州）を特定し、各地域それぞれの無線仕様や法規に合わせ、自動で無線ＬＡＮ通信モード（無線周波数チャネル及び送信電力レベル）の設定を変更するようにしたコンピュータ装置（或いはクライアント装置）が得られる。
【００５３】
本発明によるコンピュータ装置（或いはクライアント装置）では、ユーザは、地域（国や州）の移動を意識することなく、自身が普段用いている無線ＬＡＮ接続装置を用い、自動的に設定を切替え、直ちに使用することが可能となる。
【図面の簡単な説明】
【図１】本発明の第１の実施例によるコンピュータ装置のブロック図である。
【図２】本発明の第２の実施例によるクライアント装置のブロック図である。
【図３】図２に示したクライアント装置に用いられる位置データテーブルの内容を示す図である。
【図４】図２に示したクライアント装置の用いられる設定テーブルの説明に使用する図であり、ＩＥＥＥ８０２．１１規格の国により異なる値を示す図である。
【図５】図２に示したクライアント装置に用いられる別の設定テーブルの内容を示す図である。
【図６】図２に示したクライアント装置に用いられる更に別の設定テーブルの内容を示す図である。
【符号の説明】
１０    コンピュータ装置
１１    無線ＬＡＮ
１２    無線ＬＡＮ接続装置
１３    現在位置データ出力装置
１４    地域データ出力装置
１０’    クライアント装置
１３’    ＧＰＳ受信装置
１５    位置データテーブル
１６    地域データ取得回路
【図１】
2004179826.tif 000003
【図２】
2004179826.tif 000004
【図３】
2004179826.tif 000005
【図４】
2004179826.tif 000006
【図５】
2004179826.tif 000007
【図６】
2004179826.tif 000008